(57)【要約】  【課題】冷蔵庫の庫内温度が保存されている食品に適温か否かを判定して使用者に知らせるようにした冷蔵庫を提供する。  【解決手段】冷蔵庫の庫内の温度を検知する庫内温度検知手段２０と、冷蔵庫の庫内に入れる食品の個々の適正温度を記録した食品適正保存温度データベース２１と、庫内に入れる食品を指定する在庫食品指定手段１９と、指定された食品の温度が適正か否かを庫内温度検知手段と食品適正保存温度データベース２１とから庫内温度判定手段２２により判定し結果を使用者に知らせるようにしたので、庫内温度が食品に適温か否かを使用者が即座に判断することができる。【選択図】図３
2006010238.tif 000002
【特許請求の範囲】
【請求項１】
冷蔵庫の庫内の温度を検知する庫内温度検知手段と、冷蔵庫の庫内に入れる食品の個々の適正温度を記録した食品適正保存温度データベースと、庫内に入れる食品を指定する在庫食品指定手段と、前記在庫食品指定手段により指定された食品の温度が適正か否かを前記庫内温度検知手段及び前記食品適正保存温度データベースとから判定する庫内温度判定手段と、判定した結果を使用者に知らせる通知手段とを備えた冷蔵庫。
【請求項２】
冷蔵庫の庫内温度を制御する庫内温度制御手段と、前記在庫食品指定手段と前記食品適正保存温度データベースから判定された結果に応じて前記庫内温度制御手段により庫内温度が適正になるように制御する請求項１記載の冷蔵庫。
【請求項３】
電源投入からの経過時間を計測する起動時間タイマと、前記起動時間タイマが一定時間経過しないと前記庫内温度判定手段により庫内温度が適正か否かを判定させないようにしたことを特徴とした請求項１記載の冷蔵庫。
【請求項４】
前記食品適正保存温度データベースを蓄積する情報蓄積サーバーと、前記食品適正保存温度データベースを前記情報蓄積サーバーからネットワークを介してデータを取得することを特徴とする請求項１記載の冷蔵庫。
【請求項５】
ネットワークを介して情報通信を行う情報通信部と、前記庫内温度判定手段により判定された庫内温度が適正でない場合に前記情報通信部によってネットワークを介して庫内温度異常通知を行うようにしたことを特徴とする請求項１記載の冷蔵庫。
【発明の詳細な説明】
【技術分野】
【０００１】
本発明は、食品に適正な温度を判定する機能を持った冷蔵庫に関するものである。
【背景技術】
【０００２】
近年冷蔵庫は庫内の温度表示機能付のものが一般的になってきており、冷蔵室、野菜室、切替室、冷凍室または製氷室等の複数個の室をもち、前記各室の庫内温度、設定、運転状態等の表示手段を冷蔵庫本体表面に設置した冷蔵庫において、表示装置の庫内温度、設定、運転状況等を表示するセグメントを複数の室で共有して表示するようにした構成のものも提案されている（例えば、特許文献１参照）。
【０００３】
図７は、特許文献１に記載された従来の冷蔵庫を示すものである。図８は従来の冷蔵庫の操作装置の表示装置を拡大して示す詳細図で、（ａ）は正面図、（ｂ）は特定した冷蔵室の温度状態３℃の表示状態を示す表示装置図、（ｃ）は特定した切替室の温度状態７℃の表示状態を示す表示装置図である。
【０００４】
図８は操作装置の詳細図である。図において、１は冷蔵庫本体で、上から順に冷蔵室２、庫内温度を切替えて設定できる切替室４、野菜室３、冷凍室５が設けられており、前記切替室４の左側には製氷室６が設けられている。また、各室の前面には冷蔵室扉２ａ、野菜室扉３ａ、切替室扉４ａ、冷凍室扉５ａ、製氷室扉６ａが設けられており、冷蔵庫扉２ａには操作装置７が設置されている。
【０００５】
前記操作装置７には表示装置８とスイッチ９が配置されている。表示装置の表示部は選択された室を表す現在表示室８ｅ、その室の庫内温度を表す現在温度表示部８ｆ、その室の運転状態を表す運転状態表示部８ｇ、その室の設定を表す設定表示部８ｈから構成される。またスイッチ９は現在表示室を選択し、図８（ｂ）および図８（ｃ）に示すように画面表示を切替える第１のスイッチ９ｃ、各室ごともしくは全室同時に設定を変更できる第２のスイッチ９ｂから構成される。
【０００６】
上記のように構成された冷蔵庫の扉に設けられた操作装置の表示装置は、各室の庫内温度、運転状態、設定等の情報を各室ごとに表示することによって、限られた表示部の大きさ内で、その表示部の数字、文字、マーク等のセグメント１つを大きくすることができ、認識しやすくすることで、誤設定を防ぐことができる。また、操作パネル自体を小さくすることができるので、コストを抑えることに有効であり、デザインの規制も少なくすることができるというものである。
【特許文献１】特開２００３−６５６５４号公報
【発明の開示】
【発明が解決しようとする課題】
【０００７】
しかしながら、上記従来の構成では冷蔵庫各室の温度設定値と各々の庫内温度値を表示することができるが、表示されている温度が食品にとって適温か否かを判断することができない。
【０００８】
また、食品保存に適さない温度が設定されている場合、間違った設定温度となってしまい食品の保鮮に影響を及ぼす可能性があるという課題を有していた。
【０００９】
本発明は、上記従来の課題を解決するもので、庫内に収納する食品に適した温度となっているか否かを使用者にわかりやすく表示し、食品に応じた適温となるように温度制御する冷蔵庫を提供することを目的とする。
【課題を解決するための手段】
【００１０】
上記従来の課題を解決するために、本発明の冷蔵庫は、冷蔵庫の庫内の温度を検知する庫内温度検知手段と、冷蔵庫の庫内に入れる食品の個々の適正温度を記録した食品適正保存温度データベースと、庫内に入れる食品を指定する在庫食品指定手段と、指定された食品の温度が適正か否かを庫内温度検知手段と食品適正保存温度データベースとから庫内温度判定手段により判定し、判定した結果を使用者に知らせるようにしたものである。
【００１１】
これによって、単に庫内の設定温度と検知温度を表示するだけでなく、現在の冷蔵庫の庫内温度が収納されている食品に適温か否かをわかるようにしたものである。
【発明の効果】
【００１２】
本発明の冷蔵庫は、保存されている食品にとって適した温度か否かを判定し結果を使用者に知らせるようにしたので食品に適温か否かを使用者が即座に判断することができる。
【発明を実施するための最良の形態】
【００１３】
請求項１に記載の発明は、冷蔵庫の庫内の温度を検知する庫内温度検知手段と、冷蔵庫の庫内に入れる食品の個々の適正温度を記録した食品適正保存温度データベースと、庫内に入れる食品を指定する在庫食品指定手段と、前記在庫食品指定手段により指定された食品の温度が適正か否かを前記庫内温度検知手段及び前記食品適正保存温度データベースとから判定する庫内温度判定手段と、判定した結果を使用者に知らせる通知手段とを備えることにより、現在の冷蔵庫の庫内温度が収納されている食品に適温か否かがわかるようになり、使用者が容易に現在の庫内温度が食品保存に正常か否かを判断することができる。
【００１４】
請求項２に記載の発明は、冷蔵庫の庫内温度を制御する庫内温度制御手段と、前記在庫食品指定手段と前記食品適正保存温度データベースから判定された結果に応じて前記庫内温度制御手段により庫内温度が適正になるように制御するので、間違った設定温度で制御されることなく保存した食品に適した温度になるように制御されるので、食品の保鮮性が向上する。
【００１５】
請求項３に記載の発明は、電源投入からの経過時間を計測する起動時間タイマと、前記起動時間タイマが一定時間経過しないと前記庫内温度判定手段により庫内温度が適正か否かを判定させないようにしたことを特徴としているので、冷蔵庫の温度が安定していないときに温度判定するのを避け、適正でない温度結果を知らせることがないので不要に故障であるといったクレームを引き起こさないようにする。
【００１６】
請求項４に記載の発明は、食品適正保存温度データベースを蓄積する情報蓄積サーバーと、食品適正保存温度データベースを情報蓄積サーバーからネットワークを介して情報を取得することを特徴としているので、数多く食品のデータベースをサーバーで一括管理できるので、あらゆる食品の適温の温度判定をおこなうことができる。
【００１７】
請求項５に記載の発明は、ネットワークを介して情報通信を行う情報通信部と、前記庫内温度判定手段により判定された庫内温度が適正でない場合に前記情報通信部によってネットワークを介して庫内温度異常通知を行うようにしたことを特徴とするので、使用者が遠隔地においても異常を確認することができ、迅速に修理依頼を行うことができる。またサービスセンタと通信で結ばれている場合は、直接不具合をサービスセンタで察知することができより迅速に対応ができるようになる。
【００１８】
以下本発明の実施の形態について図面を参照しながら説明する。なお、この実施の形態によってこの発明が限定されるものではない。
【００１９】
（実施の形態１）
図１は、本発明の冷蔵庫の概略構成図である。図において、１１は冷蔵庫本体で、上から順に冷蔵室１２、野菜室１３、庫内温度を切替えて設定できる切替室１４、冷凍室１５が設けられており、前記切替室１４の左側には製氷室１６が設けられている。また、各室の前面には冷蔵室扉１２ａ、野菜室扉１３ａ、切替室扉１４ａ、冷凍室扉１５ａ、製氷室扉１６ａが設けられており、冷蔵庫扉１２ａには操作装置１７が設置されている。
【００２０】
前記操作装置１７には液晶などの部品で構成される表示装置１８とスイッチ１９が配置されている。スイッチ１９は、庫内に保存する食品を指定するのに用いたり、表示させたい室を指定するのに用いる。
【００２１】
図２は、操作装置１７の詳細図である。１９ａは温度判定する冷蔵庫の室を指定するスイッチで、スイッチ操作するたびに指定される冷蔵庫の室が変化する。図２の例では冷蔵庫室を指定しており、指定されていることがわかるように、冷蔵室部分のみ塗りつぶされている。１９ｂは食品を指定するスイッチである。スイッチ操作によりデータベース（図示せず）に蓄積された食品を次々に表示する。図２の例では食品としてたまごを指定しており、表示装置１８に”たまご”と表示している。１９ｃは冷蔵庫の庫内温度が指定された食品にとって適温か否かを判定操作するためのスイッチである。スイッチ１９ａで温度判定する冷蔵庫の室を指定し、スイッチ１９ｂで食品を指定されている場合にスイッチ１９ｃを操作すると、庫内温度が食品に適した温度になっておれば表示装置１８に”ＯＫ”と表示され、適正な温度であることが判定できる。
【００２２】
図３は、本発明の機能ブロック図である。２０は庫内温度を検知するサーミスタで構成された庫内温度検知手段、２１は食品適正保存温度データベースで冷蔵庫を制御する制御基板に設けられた記憶メモリ（図示せず）にデータベース情報を蓄積してある。データベース情報は、記憶メモリのみならずインターネットを介して情報蓄積サーバーに記憶されている場合もある。食品指定手段であるスイッチ１９で食品を指定すれば、指定された食品のデータベース情報を庫内温度判定手段２２に出力する。庫内温度判定手段２２は庫内温度検知手段２０から入力された庫内温度と食品適正保存温度データベース２１から入力された適正保存温度とから、適正か否かを判定し、表示装置１８などの通知手段に出力する。
【００２３】
庫内温度判定手段２２の適正可否判定についてさらに詳しく説明する。庫内温度判定手段２２は、食品保存温度データベース２１から保存最適温度Ｔ１と最適温度範囲Ｔ２を得る。庫内温度検知手段２０からえられた庫内温度ｔ０と保存最適温度Ｔ１との差の絶対値が最適温度範囲Ｔ２より小さければ最適温度内として”ＯＫ”判定を行う。最適温度範囲Ｔ２より大きければ最適温度ではないとして”ＮＧ”判定を行う。
【００２４】
図４は、庫内温度制御手段２３を加えた冷蔵庫の機能ブロック図である。庫内温度制御手段２３は、圧縮機（図示せず）と庫内ファン（図示せず）及びダンパ（図示せず）などで構成される。食品指定手段１９で食品を指定すると、食品適正保存温度データベース２１から指定された食品の最適温度データを得る。得られた食品の最適温度データを、庫内温度制御の目標温度として、圧縮機のＯＮ／ＯＦＦのコントロール及び、庫内ファンのＯＮ／ＯＦＦのコントロール、ダンパの開閉をコントロールする。
【００２５】
図５は、電源投入からの経過時間を計測する起動時間タイマ２４を加えた冷蔵庫の機能ブロック図である。起動時間タイマ２４は、電源投入してから一定時間（例えば２０時間）を計測し、その間庫内温度判定をさせないようにする。具体的には、電源投入から一定時間内には判定結果ではなく、予め決められた出力”−”を”ＯＫ”や”ＮＧ”の代わりに表示装置１８に表示するようにする。
【００２６】
図６は、庫内温度判定手段２２で判定された結果を通知手段１９のみならず、ネットワークを介して通信する情報通信部２５を加えた場合の機能ブロック図である。庫内温度判定手段２２で”ＮＧ”判定がされた場合に、通知手段である表示装置１９のみならず、情報通信部２５に異常情報を出力し、遠隔地のサービスサーバー（図示せず）に異常情報として情報を流す。サービスサーバーにおいて異常情報を入力すると使用者及びサービスセンタに異常が出た旨を通知する。異常情報は、単発の異常通知だけで情報を流すのではなく予め決められた閾値を超えた異常情報が入力された場合に異常通知することとして、誤報を減らすようにしてもよい。
【００２７】
以上のように本実施の形態においては、冷蔵庫の庫内の温度を検知する庫内温度検知手段２０と、冷蔵庫の庫内に入れる食品の個々の適正温度を記録した食品適正保存温度データベース２１と、庫内に入れる食品を指定する在庫食品指定手段１９と、指定された食品の温度が適正か否かを庫内温度検知手段２０と食品適正保存温度データベース２１とから庫内温度判定手段２２により判定し、判定した結果を使用者に知らせるようにしたものであるから、冷蔵庫に保存する食品が適温で保存されているかどうかの判定が容易に行うことができる。
【００２８】
また、冷蔵庫の庫内温度を制御する庫内温度制御手段２３を備え、在庫食品指定手段１９と食品適正保存温度データベース２１から判定された結果に応じて庫内温度制御手段２３により庫内温度が食品に適正になるように制御するので、間違った設定温度で制御されることなく、食品の保鮮性が向上する。
【００２９】
また、電源投入からの時間を計測する起動時間タイマ２４を備え、電源投入から予め決められた時間内には庫内温度判定手段２２から通知手段１８に判定結果でない過渡中であることをあらわす表示を行うようにするので、過渡中に誤った判定を下し不要なクレームを引き起こさないようにできる。
【００３０】
また、食品適正保存温度データベース２１を制御基板内の記憶メモリに蓄積するだけではなく、ネットワークを介した情報蓄積サーバー（図示せず）内に蓄積し、制御基板内の記憶メモリにない食品が指定された場合にネットワークを介した情報蓄積サーバーから情報を得る構成とすることで、数多く食品のデータベース情報を得ることが可能となり、あらゆる食品の適温の温度判定をおこなうことができる。
【００３１】
また、ネットワークを介して情報通信を行う情報通信部２５と、前記庫内温度判定手段２２により判定された庫内温度が適正でない場合に前記情報通信部２５によってネットワークを介して庫内温度異常通知を行うようにしたことを特徴とするので、使用者が遠隔地においても異常を確認することができ、迅速に修理依頼を行うことができる。またサービスセンタと通信で結ばれている場合は、直接不具合をサービスセンタで察知することができより迅速に対応ができるようになる。
【００３２】
また本実施の形態においては操作装置が冷蔵庫に取り付けられた構造としたが、操作装置１７及び表示装置１８は冷蔵庫と別構成としても同じ効果を得る。
【産業上の利用可能性】
【００３３】
以上のように、本発明にかかる冷蔵庫は、食品に適正な温度を判定することができるので、食品を冷やすことを目的とした冷蔵庫に限らずあらゆる温度帯の食品収納庫の温度制御表示装置にも適用できる。
【図面の簡単な説明】
【００３４】
【図１】本発明の実施の形態１における冷蔵庫の概略構成図
【図２】同実施の形態の表示装置の詳細図
【図３】同実施の形態の機能ブロック図
【図４】同実施の形態の温度制御手段を加えた機能ブロック図
【図５】同実施の形態の起動時間タイマを加えた機能ブロック図
【図６】同実施の形態の情報通信部を加えた機能ブロック図
【図７】従来の冷蔵庫の概略図
【図８】（ａ）は従来の冷蔵庫の表示装置の正面図（ｂ）は従来の冷蔵庫の冷蔵室の表示状態を示す表示装置の正面図（ｃ）は従来の冷蔵庫の切替室の表示状態を示す表示装置の正面図
【符号の説明】
【００３５】
１７  操作装置
１８  表示装置
１９  スイッチ（食品指定手段）
２２  庫内温度判定手段
２３  庫内温度制御手段
２４  起動時間タイマ
２５  情報通信部
【図１】
2006010238.tif 000003
【図２】
2006010238.tif 000004
【図３】
2006010238.tif 000005
【図４】
2006010238.tif 000006
【図５】
2006010238.tif 000007
【図６】
2006010238.tif 000008
【図７】
2006010238.tif 000009
【図８】
2006010238.tif 000010